(57)【要約】【課題】  表示装置のパワー消耗を減らす制御回路及びその方法の提供。【解決手段】  表示装置を作業モードと待機モードの間で切り換え、並びに表示装置の待機モード時のパワー消耗を減らし、並びに同期信号検出回路、赤外線受信器、及び電源スイッチを利用していつトリガ信号を出力するかを判断する。マイクロコントローラーはトリガ信号が入力される時、スイッチ回路に命令して周辺回路運転時に必要な電力を提供させ、且つ表示装置を作業モードに切り換える。反対に、マイクロコントローラーはトリガ信号が入力されない時、スイッチ回路に命令して周辺回路の運転に必要な電力の供給を停止させ、且つ表示装置を待機モードに切り換える。【選択図】        図１
2006189747.tif 000002
【特許請求の範囲】
【請求項１】
表示装置を作業モードと待機モードの間で切り換え、並びに表示装置の待機モードにあってのパワー消耗を減らす制御回路であり、
アナログコンピュータ画像信号の同期信号を検出する時、トリガ信号を出力する同期信号検出回路と、
遠端リモートコントローラーの伝送した赤外線信号を検出する時、トリガ信号を出力する赤外線受信器と、
押された時、トリガ信号を出力する電源スイッチと、
周辺回路が運転する時に必要な電力を提供するスイッチ回路と、
該トリガ信号が入力される時に、該スイッチ回路に周辺回路が運転する時に必要な電力を提供させ、この時、表示装置を作業モードに切り換え、トリガ信号未入力の時に、スイッチ回路に周辺回路が運転時に必要な電力を提供するのを停止させ、このとき、表示装置を待機モードに切り換えることを特徴とする、制御回路。
【請求項２】
請求項１記載の制御回路において、同期信号が水平同期信号と垂直同期信号を包含することを特徴とする、制御回路。
【請求項３】
請求項１記載の制御回路において、表示装置が液晶テレビ、プラズマテレビのいずれかとされたことを特徴とする、制御回路。
【請求項４】
請求項１記載の制御回路において、周辺回路が、第１アナログ／デジタル変換器、縮小拡大器、第２アナログ／デジタル変換器、ビデオデコーダ、デインタレース、ゴーストイメージ除去器、或いは三次元櫛形フィルタを具えたことを特徴とする、制御回路。
【請求項５】
表示装置のパワー消耗を減らす方法において、表示装置を作業モードと待機モードの間で切り換え、並びに表示装置の待機モードでのパワー消耗を減らす方法であり、それは、  （Ａ）制御回路の初期化のステップ、
（Ｂ）周辺回路の初期化のステップ、
（Ｃ）待機モードに切り換えるかを判断し、成立すれば、周辺回路を待機モードに切り換えるステップ、
（Ｄ）トリガ信号を検出したかを判断し、成立すれば周辺回路を作業モードに切り換えるステップ、
以上のステップを具え、周辺回路が待機モードの時、周辺回路の運転に必要な電力の供給を停止することを特徴とする、表示装置のパワー消耗を減らす方法。
【請求項６】
請求項５記載の表示装置のパワー消耗を減らす方法において、表示装置が液晶テレビ、プラズマテレビのいずれかとされたことを特徴とする、表示装置のパワー消耗を減らす方法。
【請求項７】
請求項５記載の表示装置のパワー消耗を減らす方法において、トリガ信号がアナログコンピュータ画像信号の同期信号に対応することを特徴とする、表示装置のパワー消耗を減らす方法。
【請求項８】
請求項５記載の表示装置のパワー消耗を減らす方法において、トリガ信号が遠端リモートコントローラーの伝送した赤外線信号に対応することを特徴とする、表示装置のパワー消耗を減らす方法。
【請求項９】
請求項５記載の表示装置のパワー消耗を減らす方法において、トリガ信号が電源スイッチにより出力されることを特徴とする、表示装置のパワー消耗を減らす方法。
【請求項１０】
請求項５記載の表示装置のパワー消耗を減らす方法において、制御回路が、同期信号検出回路、赤外線受信器、電源スイッチ、スイッチ回路、及びマイクロコントローラーを具えたことを特徴とする、表示装置のパワー消耗を減らす方法。
【請求項１１】
請求項５記載の表示装置のパワー消耗を減らす方法において、周辺回路が、第１アナログ／デジタル変換器、縮小拡大器、第２アナログ／デジタル変換器、ビデオデコーダ、デインタレース、ゴーストイメージ除去器、或いは三次元櫛形フィルタを具えたことを特徴とする、表示装置のパワー消耗を減らす方法。
【発明の詳細な説明】
【技術分野】
【０００１】
本発明は制御回路及びその方法に係り、特に表示装置のパワー消耗を減らす制御回路及びその方法に関する。
【背景技術】
【０００２】
一般にパーソナルコンピュータの多くは即刻効果のあるスリープモードによりその電力使用を節約している。コンピュータの実行の過程では、電源供給器は一般にただ６０〜７０％の１２０Ｖ交流電源を、内部システム部品が必要とする１２Ｖ、５Ｖ及び３．３Ｖの直流電力に変換し、その他のほとんどは熱エネルギーの形式で流失する。家庭用コンピュータと娯楽システムは経常的に接続状態であり、起動状態を保持しなければ全ての機能の運転を維持できず、ゆえにスリープモードの管理で節電の機能を達成するのは難しく、且つ発生する熱エネルギーがディスプレイの寿命に影響を与え得る。このほか、テレビ機能を具えた製品では、通常マイクロコントローラーが採用され水平及び垂直の同期信号検出を支援しておらず、スリープモードでの消耗パワーを最低、例えば１ｗより低くしようとすれば、コンピュータが正常運転不能となり、即ちスリープモード下で作業モードに切り換え不能となるため、改善の必要がある。
【発明の開示】
【発明が解決しようとする課題】
【０００３】
周知のディスプレイが待機モード下で完全には超低消耗パワーの節電モードを達成できず、且つディスプレイの発生する熱エネルギーがディスプレイの寿命に影響を与えることから、本発明は制御回路及びその方法を利用することで周知の欠点を改善する。
【０００４】
本発明の制御回路は、表示装置のパワー消耗を減らすことができ、それは、以下の部品を具えている。即ち、同期信号検出回路、赤外線受信器、電源スイッチ、スイッチ回路、及びマイクロコントローラーである。そのうち、同期信号検出回路、赤外線受信器、及びスイッチ回路は以下の情況の時にトリガ信号を出力する。同期信号検出回路はアナログコンピュータ画像信号の同期信号を検出する時、トリガ信号を出力する。赤外線受信器は遠端リモートコントローラーの伝送した赤外線信号を検出する時、トリガ信号を出力する。電源スイッチは押された時、トリガ信号を出力する。続いて、マイクロコントローラーはトリガ信号が入力される時、スイッチ回路に命令して周辺回路の運転に必要な電力を提供し、且つ表示装置を作業モードに切り換える。反対にマイクロコントローラーはトリガ信号が入力されない時、スイッチ回路に命令して周辺回路の運転に必要な電力の提供を停止し、且つ表示装置を待機モードに切り換える。
【０００５】
このほか、上述の周辺回路は第１アナログ／デジタル変換器、縮小拡大器、第２アナログ／デジタル変換器、ビデオデコーダ、デインタレース、ゴーストイメージ除去器、或いは三次元櫛形フィルタを具えている。
【０００６】
これにより上述の制御回路を利用し、超低消耗パワーの節電モードを達成できるほか、ディスプレイ製品の寿命を延長する効果を達成する。
【０００７】
このほか、上述の目的を達成するため、本発明は表示装置のパワー消耗を減らす方法を提供する。それは以下のステップを具えている。（Ａ）制御回路の初期化、（Ｂ）周辺回路の初期化、（Ｃ）待機モードに切り換えるかを判断し、成立すれば、上述の周辺回路を待機モードに切り換える。（Ｄ）トリガ信号を検出したかを判断し、成立すれば周辺回路を作業モードに切り換える。
【０００８】
ゆえに本発明の制御回路及びその方法は、完全に表示装置に待機モード下で超低消耗パワーの節電モードを達成させ、且つ表示装置の寿命を延長する。
【課題を解決するための手段】
【０００９】
請求項１の発明は、表示装置を作業モードと待機モードの間で切り換え、並びに表示装置の待機モードにあってのパワー消耗を減らす制御回路であり、
アナログコンピュータ画像信号の同期信号を検出する時、トリガ信号を出力する同期信号検出回路と、
遠端リモートコントローラーの伝送した赤外線信号を検出する時、トリガ信号を出力する赤外線受信器と、
押された時、トリガ信号を出力する電源スイッチと、
周辺回路が運転する時に必要な電力を提供するスイッチ回路と、
該トリガ信号が入力される時に、該スイッチ回路に周辺回路が運転する時に必要な電力を提供させ、この時、表示装置を作業モードに切り換え、トリガ信号未入力の時に、スイッチ回路に周辺回路が運転時に必要な電力を提供するのを停止させ、このとき、表示装置を待機モードに切り換えることを特徴とする、制御回路としている。
請求項２の発明は、請求項１記載の制御回路において、同期信号が水平同期信号と垂直同期信号を包含することを特徴とする、制御回路としている。
請求項３の発明は、請求項１記載の制御回路において、表示装置が液晶テレビ、プラズマテレビのいずれかとされたことを特徴とする、制御回路としている。
請求項４の発明は、請求項１記載の制御回路において、周辺回路が、第１アナログ／デジタル変換器、縮小拡大器、第２アナログ／デジタル変換器、ビデオデコーダ、デインタレース、ゴーストイメージ除去器、或いは三次元櫛形フィルタを具えたことを特徴とする、制御回路としている。
請求項５の発明は、表示装置のパワー消耗を減らす方法において、表示装置を作業モードと待機モードの間で切り換え、並びに表示装置の待機モードでのパワー消耗を減らす方法であり、それは、
（Ａ）制御回路の初期化のステップ、
（Ｂ）周辺回路の初期化のステップ、
（Ｃ）待機モードに切り換えるかを判断し、成立すれば、周辺回路を待機モードに切り換えるステップ、
（Ｄ）トリガ信号を検出したかを判断し、成立すれば周辺回路を作業モードに切り換えるステップ、
以上のステップを具え、周辺回路が待機モードの時、周辺回路の運転に必要な電力の供給を停止することを特徴とする、表示装置のパワー消耗を減らす方法としている。
請求項６の発明は、請求項５記載の表示装置のパワー消耗を減らす方法において、表示装置が液晶テレビ、プラズマテレビのいずれかとされたことを特徴とする、表示装置のパワー消耗を減らす方法としている。
請求項７の発明は、請求項５記載の表示装置のパワー消耗を減らす方法において、トリガ信号がアナログコンピュータ画像信号の同期信号に対応することを特徴とする、表示装置のパワー消耗を減らす方法としている。
請求項８の発明は、請求項５記載の表示装置のパワー消耗を減らす方法において、トリガ信号が遠端リモートコントローラーの伝送した赤外線信号に対応することを特徴とする、表示装置のパワー消耗を減らす方法としている。
請求項９の発明は、請求項５記載の表示装置のパワー消耗を減らす方法において、トリガ信号が電源スイッチにより出力されることを特徴とする、表示装置のパワー消耗を減らす方法としている。
請求項１０の発明は、請求項５記載の表示装置のパワー消耗を減らす方法において、制御回路が、同期信号検出回路、赤外線受信器、電源スイッチ、スイッチ回路、及びマイクロコントローラーを具えたことを特徴とする、表示装置のパワー消耗を減らす方法としている。
請求項１１の発明は、請求項５記載の表示装置のパワー消耗を減らす方法において、周辺回路が、第１アナログ／デジタル変換器、縮小拡大器、第２アナログ／デジタル変換器、ビデオデコーダ、デインタレース、ゴーストイメージ除去器、或いは三次元櫛形フィルタを具えたことを特徴とする、表示装置のパワー消耗を減らす方法としている。
【発明の効果】
【００１０】
本発明によると、表示装置を作業モードと待機モードの間で切り換え、並びに表示装置の待機モード時のパワー消耗を減らし、並びに同期信号検出回路、赤外線受信器、及び電源スイッチを利用していつトリガ信号を出力するかを判断する。マイクロコントローラーはトリガ信号が入力される時、スイッチ回路に命令して周辺回路運転時に必要な電力を提供させ、且つ表示装置を作業モードに切り換える。反対に、マイクロコントローラーはトリガ信号が入力されない時、スイッチ回路に命令して周辺回路の運転に必要な電力の供給を停止させ、且つ表示装置を待機モードに切り換える。
【発明を実施するための最良の形態】
【００１１】
図１は本発明の制御回路１１を具えた表示装置１０のブロック図である。そのうち表示装置１０はＬＣＤディスプレイとされるのがよい。図示されるように、表示装置１０がアナログコンピュータ画像信号を同期信号検出回路１３及び第１アナログ／デジタル変換器１２に入力する。同期信号検出回路１３はアナログコンピュータ画像信号の同期信号を検出すると、トリガ信号をマイクロコントローラー１５に出力する。マイクロコントローラー１５はトリガ信号未入力の時、電源供給器（図示せず）に命じて電力の表示装置１０の、第１アナログ／デジタル変換器１２、縮小拡大器１４、表示パネル１７、第２アナログ／デジタル変換器１８、ビデオデコーダ２０、デインタレース２１、ゴーストイメージ除去器２３、及び三次元櫛形フィルタ２４を含むその他の電子装置への供給を停止させ、僅かに本発明の制御回路１１の運転に必要な電力のみを提供させる。電源供給器が電力供給を必要とする電子装置の数が少ないため、表示装置１０の電力消耗は減少する。
【００１２】
図１に示されるように、本発明の制御回路１１は以下の装置を具えている。同期信号検出回路１３、マイクロコントローラー１５、赤外線受信器２６、電源スイッチ２７、及びスイッチ回路２８である。アナログコンピュータ画像信号は水平同期信号（標記はＨ．Ｓｙｎｃ）及び垂直同期信号（標記はＶ．Ｓｙｎｃ）を包含する。これにより同期信号検出回路１３は同期信号（水平同期信号及び垂直同期信号を包含する）が存在するかを検出し、もし存在すればトリガ信号をマイクロコントローラー１５に出力する。そのうち、同期信号検出回路１３がどのように同期信号の存在を判断するかについては図２も参照されたい。同期信号検出回路１３の判断ステップは以下のとおりである。（ｉ）水平同期信号が存在する時、水平同期信号はコンデンサＣ９０、クランプ回路器Ｄ９０３、及び抵抗Ｒ９０４とコンデンサＣ９０３でろ波処理の後、コンデンサＣ９０３が高電位を提供する。（ｉｉ）垂直同期信号が存在する時、コンデンサＣ９０２、クランプ回路器Ｄ９０４、及び抵抗Ｒ９０２とコンデンサＣ９０１でろ波処理の後、コンデンサＣ９０１が高電位を提供してトランジスタＱ９０１を不導通とし、これによりコンデンサＣ９０３が高電位を提供する。（ｉｉｉ）コンデンサＣ９０３が高電位を提供し、これによりトランジスタＱ９０２が導通し、即ちマイクロコントローラー１５が低ロジック電圧を検出し、この低ロジック電圧がトリガ信号を表示する。反対に、（ｉ）水平同期信号がない時、コンデンサＣ９０４、クランプ回路器Ｄ９０３、抵抗Ｒ９０４及びコンデンサＣ９０３でろ波処理の後、コンデンサＣ９０３が低電位を提供する。（ｉｉ）垂直同期信号がない時、コンデンサＣ９０２、クランプ回路器Ｄ９０４、抵抗Ｒ９０２及びコンデンサＣ９０１でろ波処理の後、コンデンサＣ９０１が低電位を提供し、トランジスタＱ９０１を導通させ、これによりコンデンサＣ９０３が低電位を提供する。（ｉｉｉ）コンデンサＣ９０３が低電位を提供し、これによりトランジスタＱ９０２が不導通となり、即ちマイクロコントローラー１５が高ロジック電圧を検出し、この高ロジック電圧が非トリガ信号を表示する。
【００１３】
このほか、赤外線受信器２６及び電源スイッチ２７もまたトリガ信号をマイクロコントローラー１５に出力する。これについて以下に説明する。赤外線受信器２６は遠端リモートコントローラー（図示せず）の伝送した赤外線信号を受け取り、使用者が遠端リモートコントローラーのボタンを押す時、遠端リモートコントローラーはこのボタンに対応する赤外線信号を赤外線受信器２６に伝送する。その後、赤外線受信器２６は更にトリガ信号をマイクロコントローラー１５に出力する。これから想到できるように、使用者はまた適当な赤外線信号を赤外線受信器２６に出力して赤外線受信器２６にトリガ信号のマイクロコントローラー１５への出力を停止させることができる。このほか、電源スイッチ２７は表示パネル１７の機構上に組みつけ可能であり、これにより使用者は電源スイッチ２７を押してそれにマイクロコントローラー１５に対してトリガ信号を出力させることができる。使用者はまた電源スイッチ２７を押してトリガ信号のマイクロコントローラー１５への出力を停止させることもできる。以上から分かるように、同期信号検出回路１３、赤外線受信器２６、及び電源スイッチ２７はいずれもトリガ信号をマイクロコントローラー１５に出力／停止することができる。
【００１４】
図３に示されるように、スイッチ回路２８は、トランジスタ２９、５Ｖ開閉器３０、３Ｖ開閉器３１、抵抗３２を具えている。マイクロコントローラーがトリガ信号を未検出の時、マイクロコントローラー１５はトランジスタ２９を導通させず、これにより抵抗３２の出力端は高電位を維持する。このとき、電源供給器は電力を５Ｖ開閉器３０及び３Ｖ開閉器３１に提供するが、５Ｖ開閉器３０及び３Ｖ開閉器３１は電力をその他の電子装置に出力しない。マイクロコントローラー１５がトリガ信号を検出する時、マイクロコントローラー１５はトランジスタ２９を導通させ、これにより抵抗３２の出力端の電位が下がる。この時、５Ｖ開閉器３０と３Ｖ開閉器３１はその他の電子装置に電力を出力し、その他の電子装置はいずれも待機モードから作業モードに切り換えられ、こうして表示装置１０が正常に運転する。
【００１５】
図４に示されるように、本発明の表示装置１０のパワー消耗を減らす方法は以下のステップを具えている。
ステップ３１：  制御回路１１を初期化する。制御回路１１は、同期信号検出回路１３、マイクロコントローラー１５、赤外線受信器２６、電源スイッチ２７、及びスイッチ回路２８を具えている。
ステップ３２：  周辺回路を初期化する。周辺回路は、第１アナログ／デジタル変換器１２、縮小拡大器１４、表示パネル１７、第２アナログ／デジタル変換器１８、ビデオデコーダ２０、デインタレース２１、ゴーストイメージ除去器２３、三次元櫛形フィルタ２４を具えている。
ステップ３３：  待機モードに切り換えるかを判断し、成立すれば周辺回路を待機モードに切り換える（ステップ３４）。不成立ならば重複してステップ３３を実行する。制御回路１１がトリガ信号の存在するかを検出し、存在すれば周辺回路に作業モードを維持させ、存在しなければ周辺回路を待機モードに切り換え、表示装置１０のパワー消耗を節約する。この時、制御回路１１の運転に必要な電力の提供のみが必要であり、ゆえに表示装置１０のパワー消耗は減少する。
ステップ３５：  同期信号検出回路のトリガ信号を検出したかを判断し、成立すれば周辺回路を作業モードに切り換え（ステップ３８）、並びにステップ３２を実行し、不成立であればステップ３６を実行する。
ステップ３６：  赤外線受信器のトリガ信号を検出したかを判断し（このトリガ信号は電源ボタン、テレビチャンネル選択ボタン、入力切り換えボタン等を含む）、成立すれば周辺回路を作業モードに切り換え（ステップ３８）、並びにステップ３２を実行し、不成立であればステップ３７を実行する。
ステップ３７：  電源スイッチのトリガ信号を検出したかを判断し、成立すれば周辺回路を作業モードに切り換え（ステップ３８）、並びにステップ３２を実行し、不成立であればステップ３５を実行する。
【００１６】
周辺回路は待機モード下で電力を消耗しないため、本発明の制御回路１１を組みつけた表示装置１０は、本発明の表示装置１０のパワー消耗を減らす方法により表示装置１０のパワー消耗を減らす目的を達成し、使用者の低パワー消耗の表示装置１０に対する要求を満足させる。
【図面の簡単な説明】
【００１７】
【図１】本発明の表示装置のシステムブロック図である。
【図２】本発明の同期信号検出回路の電気回路図である。
【図３】本発明のスイッチ回路の機能ブロック図である。
【図４】本発明の表示装置のパワー消耗を減らす方法のフローチャートである。
【符号の説明】
【００１８】
１０  表示装置        １１  制御回路
１２  第１アナログ／デジタル変換器    １３  同期信号検出回路
１４  縮小拡大器                      １５  マイクロコントローラー
１７  表示パネル                      １８  第２アナログ／デジタル変換器
２０  ビデオデコーダ                  ２１  デインタレース
２３  ゴーストイメージ除去器          ２４  三次元櫛形フィルタ
２６  赤外線受信器                    ２７  電源スイッチ
２８  スイッチ回路                    ２９  トランジスタ
３０  ５Ｖ開閉器                      ３１  ３Ｖ開閉器
３２  抵抗                            Ｃ９０１  コンデンサ
Ｃ９０２  コンデンサ                  Ｃ９０３  コンデンサ
Ｃ９０４  コンデンサ                  Ｒ９０１  抵抗
Ｒ９０２  抵抗                        Ｒ９０４  抵抗
Ｄ９０３  クランプ回路器              Ｄ９０４  クランプ回路器
Ｑ９０１  トランジスタ                Ｑ９０２  トランジスタ
【図１】
2006189747.tif 000003
【図２】
2006189747.tif 000004
【図３】
2006189747.tif 000005
【図４】
2006189747.tif 000006